(57)【要約】【課題】  ブラシ部材がスポット溶接された後に、ブラシホルダに配されるターミナルプレートを有するブラシ装置および、ブラシ装置を用いた始動用電動機を提供することにある。【解決手段】  ブラシ装置は、第１のターミナルプレートと、第２のターミナルプレートと、第１、第２のターミナルプレートの各々に接続される第１、第２のブラシ部材とを備えている。第１、第２のターミナルプレートは、第１、第２のターミナルプレートの略中央に配される本体部と、第１のブラシ部材が接続される板形状の第１の導通接続部と、第２のブラシ部材が接続される板形状の第２の導通接続部とを有し、第１、第２の導通接続部は、鉛直方向に立設されている。そのため、第１、第２の導通接続部に対して、電極を近づけることができ、第１、第２のブラシ部材がターミナルプレートにスポット溶接された後に、ターミナルプレートはブラシホルダに配される。【選択図】図１
2011015470.tif 000002
【特許請求の範囲】
【請求項１】
外部電源と電気的に接続される略Ｃ字形状の第１のターミナルプレートと、車体に接地される略Ｃ字形状の第２のターミナルプレートと、前記第１、第２のターミナルプレートの各々に接続される第１、第２のブラシ部材とを備えたブラシ装置において、前記第１、第２のターミナルプレートは、前記第１、第２のターミナルプレートの略中央に配される本体部と、前記本体部の一方の側部から延出形成された第１の脚部と、前記第１の脚部の先端に形成され、前記第１のブラシ部材が接続される板形状の第１の導通接続部と、前記本体部の他方の側部から延出形成された第２の脚部と、前記第２の脚部の先端に形成され、前記第２のブラシ部材が接続される板形状の第２の導通接続部とを有し、前記第１、第２の導通接続部は、前記第１、第２の脚部に対して鉛直方向に立設されることを特徴とするブラシ装置。
【請求項２】
請求項１に記載されたブラシ装置において、前記第２の導通接続部は、前記第１の導通接続部に対して、予め定められた角度だけ傾斜して配されることを特徴とするブラシ装置。
【請求項３】
請求項１または請求項２のいずれか１項に記載されたブラシ装置と、前記ブラシ装置が固定されるハウジングと、前記ハウジングによって回転自在に支持される回転子とを有する回転電機において、前記回転子は、前記第１、第２、第３のブラシ部材が摺接する円盤形状のディスクコンミテータと、前記ディスクコンミテータと電気的に接続されたコイルと、前記コイルが巻装されたロータコアとを有することを特徴とする回転電機。
【請求項４】
請求項３に記載された回転電機において、前記第１、第２のターミナルプレートの本体部には、第３のブラシ部材が接続されており、前記第３のブラシ部材は、前記ディスクコンミテータと摺接することを特徴とする回転電機。
【発明の詳細な説明】
【技術分野】
【０００１】
本発明は、回転電機のブラシ装置および回転電機に関し、特に、ディスクコンミテータを用いた回転電機のブラシ装置および回転電機に関する。
【背景技術】
【０００２】
回転電機、例えば、車両に備わる内燃機関の始動用電動機として、アーマチュアと、アーマチュアを回転自在に支持するブラケットと、ブラケットに固定されるステータとを備えたものが知られている。この種の始動用電動機において、アーマチュアは、アーマチュアの軸線方向の端部に取り付けられるコンミテータと、ロータコアと、コンミテータとロータコアが圧入された回転軸とを有している。ステータは、マグネットを備えたヨークであって、ブラケットは、ヨークの一方の開口周縁部に固定され、回転軸の一方の端部を回転自在に支持するリアブラケットと、ヨークの他方の開口周縁部に固定され、回転軸の他方の端部を回転自在に支持するフロントブラケットとを有している。なお、リアブラケットには、コンミテータと摺接するブラシが収容されるブラシホルダが固定されている（例えば、特許文献１、２）。
【０００３】
一般に、コンミテータと摺接するブラシの数が増加されると、整流性が向上し、ブラシの寿命が長期化する。しかしながら、ブラシの数が増加されるに従い、ブラシに電流を供給する給電板（正極ターミナルプレート）とアース端子（負極ターミナルプレート）とは、電気的に短絡しやすくなる。
【０００４】
これに対して、特許文献３に記載された始動用電動機のブラシ装置では、樹脂製のブラシホルダと、ブラシホルダに固定された給電板（正極ターミナルプレート）と、アース端子（負極ターミナルプレート）と、給電板に接続された３個のプラス側ブラシと、アース端子に接続された３個のマイナス側ブラシとを有している。そして、給電板に接続された３個のプラス側ブラシと、アース端子に接続された３個のマイナス側ブラシとは、周方向において交互に配置された上で、アース端子は、給電板が配置された位置から軸方向に十分に離れた位置に配置されている。そのため、マイナス側ブラシが接続されたアース端子と、プラス側ブラシが接続された給電板とは、互いに電気的に短絡されるおそれなく配置される。（例えば、特許文献３）
【特許文献１】特開２００３−３２４９０８号公報
【特許文献２】特開２００４−３０４９４６号公報
【特許文献３】特開２００３−２８９６５１号公報
【発明の概要】
【発明が解決しようとする課題】
【０００５】
しかしながら、上述の実施形態において、プラス側ブラシは、給電板がブラシホルダにインサートモールドされた後に、給電板に対してスポット溶接されている。したがって、プラス側ブラシを給電板に対してスポット溶接すると、ブラシホルダに熱が加わり、ブラシホルダが変形する恐れがあった。
【０００６】
そこで、ブラシ部材がスポット溶接された後に、ブラシホルダに配されるターミナルプレートを有するブラシ装置が求められており、本発明は、この課題を解決するブラシ装置および、ブラシ装置を用いた始動用電動機を提供することにある。
【課題を解決するための手段】
【０００７】
請求項１に記載された発明は、外部電源と電気的に接続される略Ｃ字形状の第１のターミナルプレートと、車体に接地される略Ｃ字形状の第２のターミナルプレートと、第１、第
２のターミナルプレートの各々に接続される第１、第２のブラシ部材とを備えたブラシ装置において、第１、第２のターミナルプレートは、第１、第２のターミナルプレートの略中央に配される本体部と、本体部の一方の側部から延出形成された第１の脚部と、第１の脚部の先端に形成され、第１のブラシ部材が接続される板形状の第１の導通接続部と、本体部の他方の側部から延出形成された第２の脚部と、第２の脚部の先端に形成され、第２のブラシ部材が接続される板形状の第２の導通接続部とを有し、第１、第２の導通接続部は、第１、第２の脚部に対して鉛直方向に立設されることを特徴とするブラシ装置である。
【０００８】
請求項２に記載された発明は請求項１に記載されたブラシ装置において、第２の導通接続部は、第１の導通接続部に対して、予め定められた角度だけ傾斜して配されることを特徴とするブラシ装置である。
【０００９】
請求項３に記載された発明は、請求項１または請求項２のいずれか１項に記載されたブラシ装置と、ブラシ装置が固定されるハウジングと、ハウジングによって回転自在に支持される回転子とを有する回転電機において、回転子は、第１、第２、第３のブラシ部材が摺接する円盤形状のディスクコンミテータと、ディスクコンミテータと電気的に接続されたコイルと、コイルが巻装されたロータコアとを有することを特徴とする回転電機である。
【００１０】
請求項４に記載された発明は、請求項３に記載された回転電機において、第１、第２のターミナルプレートの本体部には、第３のブラシ部材が接続されており、第３のブラシ部材は、ディスクコンミテータと摺接することを特徴とする回転電機である。
【発明の効果】
【００１１】
本発明において、第１、第２のターミナルプレートの導通接続部は、板状に形成されており、脚部に対して鉛直方向に立設されている。そのため、導通接続部は、１対の電極によって挟み込まれ、ブラシ部材は、ターミナルプレートにスポット溶接される。そして、ブラシホルダには、ブラシ部材がスポット溶接されたターミナルプレートが配される。
【図面の簡単な説明】
【００１２】
【図１】本発明のブラシ装置が固定されたリアブラケットの正面図である。
【図２Ａ】ストッパ部材の正面図である。
【図２Ｂ】ストッパ部材の側面図である。
【図３】ブラシホルダの正面図である。
【図４】正極ターミナルプレートの正面図である。
【図５】負極ターミナルプレートの正面図である。
【図６】ターミナルカバーの正面図である。
【図７】始動用電動機の一部断面図である。
【発明を実施するための形態】
【００１３】
図１は、ブラシ装置１が固定されたリアブラケット１４の正面図である。
【００１４】
ブラシ装置１は、リアブラケット１４上に固定される絶縁性のブラシホルダ２と、ブラシホルダ２上に配される絶縁性のターミナルカバー４と、ブラシホルダ２とターミナルカバー４との間に配される正極ターミナルプレート３（第１のターミナルプレート）と、ターミナルカバー４上に配される負極ターミナルプレート５（第２のターミナルプレート）とを有しており、外部電源（不図示）に接続されるターミナルボルト６と、リアブラケット１４に螺入される螺子７とによって、リアブラケット１４に固定される。なお、本実施形態において、正極ターミナルプレート３には、３個の正極ブラシ９（第１のブラシ部材）が予めスポット溶接されており、負極ターミナルプレート５には、３個の負極ブラシ部材
１０（第２のブラシ部材）が予めスポット溶接されている。そのため、ターミナルプレート３、５が配されるブラシホルダ２には、熱が加わることはなく、ブラシホルダ２が変形する恐れはない。なお、ブラシ部材９、１０は、ブラシボルダ２上に形成されたブラシ収容部２ｆに収容される。
【００１５】
したがって、正極ターミナルプレート３は、ターミナルカバー４と、ブラシホルダ２との間に配されるため、リアブラケット１４や、負極ターミナルプレート５に接触することはない。すなわち、正極ターミナルプレート３は、ターミナルカバー４と、ブラシホルダ２とによって保護されるため、電気的に短絡することはない。
【００１６】
また、ターミナルボルト６と、正極ターミナルプレート３との間には、ストッパ部材８が配される。ストッパ部材８は、図２に示されるように、略三角形状の当接部８ｄと、当接部８ｄの両側から延出し、屈曲形成された段差部８ｅとを有しており、段差部８ｅは、ターミナルカバー４上に形成された支持部４ｄ上に配される。したがって、ターミナルボルト６がリアブラケット１４に固定されると、ターミナルカバー４は、段差部８ｅによって、リアブラケット１４に向かって押圧される。
【００１７】
また、負極ターミナルプレート５には、延出部５ｏが形成されており、ターミナルカバー４には、台座部４ｏが形成されており、負極ターミナルプレート５が、ターミナルカバー４上に配されると、延出部５ｏは、台座部４ｏに当接する。そのため、負極ターミナルプレート５が、螺子７によってリアブラケット１４に固定されると、ターミナルカバー４は、延出部５ｏによって、リアブラケット１４向かって押圧される。
【００１８】
すなわち、ターミナルカバー４は、段差部８ｅと、延出部５ｏとによって押圧される。ターミナルカバー４が、ブラシホルダ２に密着するため、正極ターミナルプレート３の絶縁性は、確実に確保される。また、台座部４ｏが、支持部４ｄと対向する位置に形成されているため、ターミナルカバー４は、ストッパ部材８の段差部８ｅと、負極ターミナルプレート５の延出部５ｏとによって、バランス良く押圧され、正極ターミナルプレート３は、ブラシホルダ２上に安定して配される。
【００１９】
図１、図３に示されるように、ブラシホルダ２は、正極ターミナルプレート３が配されるフランジ部２ｄと、フランジ部２ｄの中央に立設された円筒形状の円筒部２ｅと、円筒部２ｅの外周面に沿って、周方向等間隔に形成された６個のブラシ収容部２ｆとを有している。なお、ブラシ収容部２ｆの壁面は、同一の周方向に向かって開口形成されているため、ブラシ部材９、１０に接続されたピグテール１１は、容易に引き回される。前述したように、各ブラシ収容部２ｆには、３個の正極ブラシ部材９と、３個の負極ブラシ部材１０とが配されており、ブラシ部材９、１０は、周方向において、交互にブラシ収容部２ｆ内に収容されている。
【００２０】
図１、図４に示されるように、正極ターミナルプレート３は、平面視Ｃ字状に形成されており、略三角形状の本体部３ｄと、本体部３ｄの両側から延出形成された１対の脚部３ｅ、３ｆとを有している。本体部３ｄの略中央には、貫通孔３ｈが形成されており、貫通孔３ｈには、ターミナルボルト６が挿入される。前述したように、ターミナルボルト６がリアブラケット１４に固定されると、正極ターミナルプレート３は、ブラシホルダ２を挟んでリアブラケット１４に固定される。したがって、正極ターミナルプレート３は、ターミナルボルト６を介して外部電源と電気的に接続される。なお、正極ターミナルプレート３の本体部３ｄには、略板形状の突出部３ｐが形成されており、突出部３ｐは、本体部３ｄに対して略垂直に屈曲形成されている。また、正極ターミナルプレート３の脚部３ｅ、３ｆの先端には、略板形状の導通接続部３ｍ、３ｎが形成されており、導通接続部３ｍ、３ｎは、突出部３ｐと同様に、脚部３ｅ、３ｆに対して略垂直に屈曲形成されている。
【００２１】
図１、図５に示されるように、負極ターミナルプレート５は、平面視Ｃ字状に形成されており、略長方形状の本体部５ｄと、本体部５ｄの両側から延出形成された１対の脚部５ｅ、５ｆとを有している。本体部５ｄの略中央には、貫通孔５ｈが形成されており、貫通孔５ｈには、螺子７が挿入される。したがって、前述したように、螺子７が、リアブラケット１４に螺入されると、負極ターミナルプレート５は、螺子７によって、リアブラケット１４に固定される。そして、螺子７によって、負極ターミナルプレート５は、リアブラケット１４と電気的に接続される。なお、負極ターミナルプレート５の脚部５ｅ、５ｆの先端には、略板形状の導通接続部５ｍ、５ｎが形成されており、導通接続部５ｍ、５ｎは、脚部５ｅ、５ｆに対して略垂直に屈曲形成されている。
【００２２】
なお、ターミナルプレート３、５の導通接続部３ｎ、５ｎは、導通接続部３ｍ、５ｍに対して、略１２０度傾斜して形成されており、ブラシホルダ２の円筒部２ｅの外周面には、ブラシ収容部２ｆが６０度毎に形成されている。そのため、正極ターミナルプレート３がブラシホルダ２上に配されると、導通接続部３ｍ、３ｎは、ブラシ収容部２ｆの壁面に当接し、負極ターミナルプレート５がターミナルカバー４上に配されると、導通接続部５ｍ、５ｎは、ブラシ収容部２ｆの壁面に当接する。導通接続部３ｍ、３ｎ、５ｍ、５ｎは、ブラシ収容部２ｆの壁面に当接するため、安定して配される。
【００２３】
本体部３ｄから本体部５ｄの方向に向かってターミナルプレート３、５に力が加えられると、導通接続部３ｎ、５ｍは、ターミナルプレート３、５を支持し、本体部５ｄから本体部３ｄの方向に向かってターミナルプレート３、５に力が加えられると、導通接続部３ｍ、５ｎは、ターミナルプレート３、５を支持する。そのため、ターミナルプレート３、５は、安定して配される。
【００２４】
前述したように、導通接続部３ｎ、５ｎは、導通接続部３ｍ、５ｍに対して１２０度傾斜している。さらに、導通接続部３ｍ、３ｎ、５ｍ、５ｎは、脚部導通接続部３ｅ、３ｆ、５ｅ、５ｆに対して略垂直に屈曲形成されており、ターミナルプレート３、５の軸方向の高さよりも高い位置に配される。したがって、導通接続部３ｍ、３ｎ、５ｍ、５ｎの中心を通る仮想線Ｘ１−Ｘ１、Ｘ２−Ｘ２、Ｘ３−Ｘ３、Ｘ４−Ｘ４上には、遮蔽物が存在しない。したがって、電極（不図示）は、仮想線Ｘ１−Ｘ１、Ｘ２−Ｘ２、Ｘ３−Ｘ３、Ｘ４−Ｘ４上に配されるため、ピグテール１１は、導通接続部３ｍ、３ｎ、５ｍ、５ｎにスポット溶接される。また、ブラシ収容部２ｆの壁面が開口形成され、いずれのピグテール１１も同一の周方向に向かって引き回されているため、各ピグテール１１同士が接触することはない。また、ターミナルプレート３、５の導通接続部３ｍ、３ｎ、５ｍ、５ｎは、ブラシホルダ２の壁面に沿って配されるため、ターミナルプレート３、５は、安定して配される。
【００２５】
図１、図６に示されるように、ターミナルカバー４は、円環状に形成された保護部４ｅと、保護部４ｅ上に形成された規制部４ｆと、保護部４ｅから突出形成された三角形状の案内部４ｇとを有しており、ターミナルカバー４は、案内部４ｇと、ブラシ収容部２ｆの壁面とによって案内され、正極ターミナルプレート３、ブラシホルダ２上に配される。すなわち、ターミナルカバー４は、ブラシホルダ２に対して所定の位置に配される。さらに、負極ターミナルプレート５の脚部５ｍ、５ｎの先端は、案内部４ｇ上に配されるため、負極ターミナルプレート５は、ターミナルカバー４上に安定して配される。
【００２６】
また、保護部４ｅは、正極ターミナルプレート３と、負極ターミナルプレート５との間に配されるため、前述したように、正極ターミナルプレート３は、負極ターミナルプレート５と接触することはなく、正極ターミナルプレート３の絶縁性は、確実に確保される。なお、本実施の形態において、保護部４ｅは、円環状に形成されている。しかしながら、保
護部４ｅの形状は、これに限られることはなく、正極ターミナルプレート３と、負極ターミナルプレート５との間に配される形状であれば良い。
【００２７】
また、規制部４ｆは、保護部４ｅ上に形成され、負極ターミナルプレート５と当接する。規制部４ｆは、互い違いに形成されているため、負極ターミナルプレート５の径方向の動きは規制され、負極ターミナルプレート５は、安定してターミナルカバー４上に配される。
【００２８】
なお、負極ターミナルプレート５の１対の脚部５ｅ、５ｆは、本体部５ｄに対して略垂直に屈曲形成されているため、脚部５ｅ、５ｆの軸方向に対する剛性は向上する。さらに、負極ターミナルプレート５の外形は小型化され、ブラシ装置１は小型化される。
【００２９】
ターミナルボルト６は、ブラシ収容部２ｆの間に配される三角部６ｄと、凹部６ｅとを有しており、凹部６ｅは、正極ターミナルプレート３に形成された突出部３ｐに近接して配置される。そのため、ターミナルボルト６は、突出部３ｐに接続されたピグテール１１と干渉することなく、ブラシホルダ２に挿入される。前述したように、正極ターミナルプレート３の本体部３ｄには、貫通孔３ｈが形成されており、ターミナルボルト６は、貫通孔３ｈを介して、リアブラケットに固定され、外部電源と電気的に接続される。
【００３０】
また、本実施形態において、フランジ部２ｄには、６個のブラシ収容部２ｆが周方向において等間隔に立設されており、ターミナルプレート３、５の導通接続部３ｍ、３ｎ、５ｍ、５ｎは、各々、ブラシ収容部２ｆと同様に、同一円周上に配置されている。すなわち、ターミナルプレート３、５の導通接続部３ｍ、３ｎ、５ｍ、５ｎが、ブラシ収容部２ｆの間に配置されるため、ブラシ装置１は小型化される。
【００３１】
さらに、正極ターミナルプレート３の本体部３ｄは、負極ターミナルプレート５の本体部５ｄと対向する位置に配置される。負極ターミナルプレート５の脚部５ｅ、５ｆは、ターミナルカバー４を介して、正極ターミナルプレート３の脚部３ｅ、３ｆの上に配されている。
【００３２】
正極ターミナルプレート３の本体部３ｄは、略三角形状に形成され、本体部３ｄの先端寄りに形成された貫通孔３ｈには、ターミナルボルト６が挿入される。そのため、ターミナルボルト６は、ブラシホルダ２の中心寄りに配置され、正極ターミナルプレート３の本体部３ｄに当接する。また、正極ターミナルプレート３の本体部３ｄは、周方向において、負極ターミナルプレート５の導通接続部５ｍ、５ｎの間に配されており、負極ターミナルプレート５の本体部５ｄは、周方向において、正極ターミナルプレート３の導通接続部３ｍ、３ｎの間に配されている。そのため、ブラシ装置１が大型化することなく、ターミナルプレート３、５は、電気的に短絡することなく、ブラシ部材９、１０は、周方向において、交互に配置される。  
【００３３】
さらに、ブラシ装置１の中心位置Ｏから、ターミナルプレート３、５の導通接続部３ｍ、３ｎ、５ｍ、５ｎまでの間の距離は、いずれも等しい。したがって、導通接続部３ｍ、３ｎ、５ｍ、５ｎには、同一の長さを有するピグテール１１が接続され、部品管理は、容易になる。
【００３４】
図７に示されるように、始動用電動機Ｍは、外部電源と電気的に接続されるブラシ装置１と、ブラシ装置１を備えたモータハウジング１２（ハウジング）と、ブラシ装置１と電気的に接続される回転子２３とを有している。始動用電動機Mは、モータハウジング１２に形成された脚部１４ｋを介して、ボルト（不図示）などによってエンジンに固定され、回転子２３の回転によって、エンジンを駆動する。
【００３５】
モータハウジング１２は、複数のマグネット１６を備えた円筒形状のヨーク１３と、ヨーク１３の一方の開口周縁部１３ａに配されるリアブラケット１４と、ヨーク１３の他方の開口周縁部１３ｂに配されるフロントブラケット１５とを有している。セットボルト１７が、フロントブラケット１５、ヨーク１３を介して、リアブラケット１４に螺入されると、リアブラケット１４は、ヨーク１３の一方の開口周縁部１３ａに固定され、フロントブラケット１５は、ヨーク１３の他方の開口周縁部１３ｂに固定される。なお、ヨーク１３とリアブラケット１４との間には、ゴム製の角リング１８が配されており、ヨーク１３とフロントブラケット１５との間には、ゴム製の角リング１８が配されている。そのため、モータハウジング１２内には、外部から水等が浸入することはない。
【００３６】
ヨーク１３は、鉄などの磁性材によって円筒状に形成されており、ヨーク１３の内周面には、複数のマグネット１６が磁極を交互にして配設されている。また、ヨーク１３の一方の開口周縁部１３ａは、リアブラケット１４とインロー嵌合し、ヨーク１３の他方の開口周縁部１３ｂは、フロントブラケット１５とインロー嵌合する。
【００３７】
リアブラケット１４は、アルミダイキャストによって碗状に形成されており、外部電源と電気的に接続されるブラシ装置１を有している。なお、本実施形態において、リアブラケット１４は、小型に形成されている。具体的には、リアブラケット１４の内径は、６２ｍｍから６８ｍｍの範囲内に設定されている。
【００３８】
リアブラケット１４の中央には、円筒形状のボス部１４ｅが突出形成されており、ボス部１４ｅには、オイルレスメタル１９が圧入されている。そのため、リアブラケット１４は、オイルレスメタル１９を介して、回転子２３を回転自在に支持する。
【００３９】
フロントブラケット１５は、アルミダイキャストによって碗状に形成されており、フロントブラケット１５に突出形成されたボス部１５ｅと、ボス部１５ｅに圧入されたベアリング２０とを有している。そのため、フロントブラケット１５は、ボス部１５ｅに圧入されたベアリング２０を介して、回転子２３を回転自在に支持する。
【００４０】
また、フロントブラケット１５のボス部１５ｅ内には、オイルシール２１が圧入されており、ボス部１５ｅの外周面には、Ｏリング２２が装着されている。そのため、モータハウジング１２内に、エンジンオイルや異物などが浸入することはない。
【００４１】
回転子２３は、磁性材料からなるロータコア２３と、ブラシ部材９、１０と電気的に接続されるディスクコンミテータ２５と、ロータコア２３とディスクコンミテータ２５とが圧入されたシャフト２６とを有しており、ロータコア２３には、コイル２７が巻装されている。なお、ブラシ収容部２ｆに収容されたブラシ部材９、１０は、圧縮コイルばね（図参照）によって付勢され、ディスクコンミテータ２５に摺接する。そのため、コイル２７は、ディスクコンミテータ２５、ブラシ装置１を介して、外部電源とで気的に接続される。したがって、外部電源から、ブラシ装置１、ディスクコンミテータ２５を介して、コイル２７に電流が供給されると、回転子２３は励磁され、モータハウジング１２内を回転する。
【００４２】
シャフト２６の一方の端部２６ａは、リアブラケット１４に圧入されたオイルレスメタル１９に挿入され、シャフト２６の他方の端部２６ｂは、フロントブラケット１５に圧入されたベアリング２０に挿入される。したがって、回転子２３は、前述したように、リアブラケット１４と、フロントブラケット１５とによって回転自在に支持され、ヨーク１３の内周面に配された複数のマグネット１６と対向する。また、シャフト２６の他方の端部２６ｂには、ギヤ部２６ｃが形成されているため、回転子２３が回転すると、ギヤ部２６ｃは、エンジンのギヤ（不図示）と噛合し、エンジンは駆動される。
【００４３】
上述の如く、本実施形態のブラシ装置１において、負極ターミナルプレート５は、正極ターミナルプレート３に接触することなく配置される。すなわち、負極ターミナルプレート５は、正極ターミナルプレート３に近接する位置に配置され、ブラシ装置１の軸方向の寸法は、短くなる。そのため、本発明にかかるブラシ装置１を用いると、始動用電動機Ｍは、小型化される。
【００４４】
また、正極ターミナルプレート３の導通接続部３ｍ、３ｎと、負極ターミナルプレート５の導通接続部５ｍ、５ｎとは、６個のブラシ収容部２ｆと同様に円周上に配置される。そのため、正極ターミナルプレート３の導通接続部３ｍ、３ｎは、正極ブラシ部材９と近接する位置に配置され、負極ターミナルプレート５の導通接続部５ｍ、５ｎは、負極ブラシ部材１０と近接する位置に配置される。すなわち、ターミナルプレート３、５の導通接続部３ｍ、３ｎ、５ｍ、５ｎが、ブラシ収容部２ｆの間に配置され、ブラシ装置１は小型化される。そのため、本発明にかかるブラシ装置１を用いると、始動用電動機Ｍは、小型化される。
【００４５】
また、正極ターミナルプレート３が組み付けられた後に、負極ターミナルプレート５は組みつけられる。そのため、ブラシ部材９、１０は、予めターミナルプレート３、５に溶着しておくことが可能になり、ブラシ装置１は、容易に製造される。そのため、本発明にかかるブラシ装置１を用いると、始動用電動機Ｍは、容易に形成される。
【００４６】
すなわち、本実施形態のブラシ装置１を、始動用電動機Ｍに利用することによって、小型のブラシ装置１内に、６個のブラシが配置されるため、小型の始動用電動機Ｍの整流性は向上する。
【符号の説明】
【００４７】
１  ブラシ装置
２  ブラシホルダ 
２ｄ  フランジ部
２ｅ  円筒部
２ｆ  ブラシ収容部 
３  正極ターミナルプレート
３ｄ  本体部 
３ｅ、３ｆ  脚部
３ｈ  貫通孔
３ｍ、３ｎ  導通接続部
３ｐ  突出部
４  ターミナルカバー
４ｄ  支持部
４ｅ  保護部
４ｆ  ターミナルプレート規制部
４ｇ  案内部
４ｏ  台座部
５  負極ターミナルプレート
５ｏ  延出部
５ｄ  本体部
５ｅ、５ｆ  脚部
５ｈ  貫通孔
５ｍ、５ｎ  導通接続部 
６  ターミナルボルト 
６ｄ  三角部
６ｅ  凹部
７  螺子 
８  ストッパ部材
８ｄ  当接部 
８ｅ  段差部
９  正極ブラシ部材
１０  負極ブラシ部材
１１  ピグテール
１２  モータハウジング
１３  ヨーク
１３ａ、１３ｂ  開口周縁部
１４  リアブラケット
１４ｋ  脚部 
１５  フロントブラケット
１５ｅ  ボス部 
１６  マグネット
１７  セットボルト
１８  角リング
１９  オイルレスメタル
２０  ベアリング
２１  オイルシール
２２  Ｏリング
２３  回転子
２４  ロータコア
２５  ディスクコンミテータ
２６  シャフト
２６ａ、２６ｂ  端部
２６ｇ  ギヤ部
２７  コイル
Ｍ  始動用発電機
【図１】
2011015470.tif 000003
【図２Ａ】
2011015470.tif 000004
【図２Ｂ】
2011015470.tif 000005
【図３】
2011015470.tif 000006
【図４】
2011015470.tif 000007
【図５】
2011015470.tif 000008
【図６】
2011015470.tif 000009
【図７】
2011015470.tif 000010